(57)【特許請求の範囲】
【請求項１】
複数の周波数帯域の（マルチバンド）無線通信デバイスであって、
第１の周波数帯域で動作する第１の無線機と、
第２の周波数帯域で動作する第２の無線機と、
第３の周波数帯域で動作する第３の無線機と、
前記第１の無線機、前記第２の無線機、および、前記第３の無線機に動作可能に連結されたステーション管理エンティティ（ＳＭＥ）と
を備え、
前記ＳＭＥは、前記第１の無線機、前記第２の無線機、および、前記第３の無線機のうち少なくとも２つの並列および同時処理を管理するマルチバンド管理モジュールを含み、
前記マルチバンド管理モジュールは、第１の周波数帯域またはチャネルから第２の周波数帯域またはチャネルへの、高速セッション転送（ＦＳＴ）セッションのセットアップ、ティアダウン、および転送を連係させ、不透明なＦＳＴを利用する場合、前記第１の周波数帯域またはチャネルおよび前記第２の周波数帯域またはチャネルの両方の発信元および発信先媒体アクセス制御（ＭＡＣ）アドレスの組み合わせを利用して、前記マルチバンド無線通信デバイス内のＭＡＣサブレイヤ管理実体（ＭＬＭＥ）プリミティブのルーティングを設定し、
前記第１の無線機、前記第２の無線機、および、前記第３の無線機は、それぞれがＭＡＣサブレイヤを有し、
それぞれのＭＡＣサブレイヤは、別個のＭＡＣサービスアクセスポイント（ＳＡＰ）を有し、
それぞれのＭＡＣサービスアクセスポイントは、透明なＦＳＴを利用しない場合、別個な独立したロバストセキュリティネットワークアソシエーション（ＲＳＮＡ）鍵管理実体により制御されるマルチバンド無線通信デバイス。
【請求項２】
前記ＳＭＥは、前記第１の無線機、前記第２の無線機、および、前記第３の無線機の１以上のセキュリティ管理鍵の実体を含む請求項１に記載のマルチバンド無線通信デバイス。
【請求項３】
前記１以上のセキュリティ管理鍵の実体は、前記第１の無線機、前記第２の無線機、および、前記第３の無線機の第１のセキュリティ管理鍵の実体、第２のセキュリティ管理鍵の実体、および、第３のセキュリティ管理鍵の実体を少なくとも含む請求項２に記載のマルチバンド無線通信デバイス。
【請求項４】
前記１以上のセキュリティ管理鍵の実体は、透明なＦＳＴを利用する場合、前記第１の無線機、前記第２の無線機、および、前記第３の無線機のうちの２以上の間で共有される少なくとも１つの共通のセキュリティ管理鍵の実体を含む請求項２に記載のマルチバンド無線通信デバイス。
【請求項５】
前記マルチバンド管理モジュールは、前記ルーティングを設定するためにＦＳＴセッションのトラフィック識別子（ＴＩＤ）を利用する請求項１から４のいずれか１項に記載のマルチバンド無線通信デバイス。
【請求項６】
前記ＳＭＥは、前記第１の無線機、前記第２の無線機、および、前記第３の無線機のそれぞれについての、アソシエーション、デアソシエーション、およびトラフィックストリーム構築を少なくとも管理する請求項１から５のいずれか１項に記載のマルチバンド無線通信デバイス。
【請求項７】
前記第１の無線機、前記第２の無線機、および、前記第３の無線機は、それぞれのＭＡＣアドレスで特定される第１、第２、および第３のＭＡＣ  ＳＡＰを少なくとも含む請求項１から６のいずれか１項に記載のマルチバンド無線通信デバイス。
【請求項８】
前記少なくとも第１、第２、および第３のＭＡＣＳＡＰを特定するそれぞれのＭＡＣアドレスは、同一のＭＡＣアドレスからなる対を少なくとも一対含む請求項７に記載のマルチバンド無線通信デバイス。
【請求項９】
前記第１の無線機は２．４ギガヘルツ（ＧＨｚ）周波数帯域で動作し、前記第２の無線機は５ＧＨｚ周波数帯域で動作し、前記第３の無線機は６０ＧＨｚ周波数帯域で動作する請求項１から８のいずれか１項に記載のマルチバンド無線通信デバイス。
【請求項１０】
少なくとも２つの異なる周波数帯域におけるマルチバンドデバイスの処理を管理する段階を備え、
前記少なくとも２つの異なる周波数帯域における処理は同時に行われる方法であって、
前記管理する段階は、第１の周波数帯域またはチャネルから第２の周波数帯域またはチャネルへの、高速セッション転送（ＦＳＴ）セッションのセットアップ、ティアダウン、および転送を連係させることを含み、
前記方法は、不透明なＦＳＴを利用する場合、前記第１の周波数帯域またはチャネルおよび前記第２の周波数帯域またはチャネルの両方の発信元および発信先媒体アクセス制御（ＭＡＣ）アドレスの組み合わせを利用して、前記マルチバンドデバイス内のＭＡＣサブレイヤ管理実体（ＭＬＭＥ）プリミティブのルーティングを設定し、
前記マルチバンドデバイスは複数のＭＡＣサブレイヤを有し、それぞれのＭＡＣサブレイヤは別個のＭＡＣサービスアクセスポイント（ＳＡＰ）を有し、
前記方法は、透明なＦＳＴを利用しない場合、別個な独立したロバストセキュリティネットワークアソシエーション（ＲＳＮＡ）鍵管理実体により、それぞれのＭＡＣサービスアクセスポイントを制御する段階を備える方法。
【請求項１１】
前記ルーティングを設定するためにＦＳＴセッションのトラフィック識別子（ＴＩＤ）を利用することを含む請求項１０に記載の方法。
【請求項１２】
前記少なくとも２つの周波数帯域における、アソシエーション、デアソシエーション、およびトラフィックストリーム構築を少なくとも共通管理する段階を備える請求項１０または１１に記載の方法。
【請求項１３】
前記少なくとも２つの周波数帯域に対応する１以上のセキュリティ管理鍵の実体を共通管理する段階を備える請求項１０から１２のいずれか１項に記載の方法。
【請求項１４】
前記１以上のセキュリティ管理鍵の実体は、透明なＦＳＴを利用する場合、前記少なくとも２つの周波数帯域のうちの２以上に対応する少なくとも１つの共通のセキュリティ管理鍵の実体を含む請求項１３に記載の方法。
【請求項１５】
前記少なくとも２つの周波数帯域は、少なくとも第１の周波数帯域、第２の周波数帯域、および、第３の周波数帯域を含む請求項１０から１４のいずれか１項に記載の方法。
【請求項１６】
前記第１の周波数帯域、第２の周波数帯域、および、第３の周波数帯域は、２．４ギガヘルツ（ＧＨｚ）周波数帯域、５ＧＨｚ周波数帯域、および、６０ＧＨｚ周波数帯域を含む請求項１５に記載の方法。
【請求項１７】
前記管理する段階は、単一のステーション管理エンティティ（ＳＭＥ）を利用して少なくとも２つの無線機を管理する段階を含む請求項１０から１６のいずれか１項に記載の方法。
【請求項１８】
少なくとも１つの複数の周波数帯域の（マルチバンド）無線通信デバイスを備えるシステムであって、
前記少なくとも１つの複数の周波数帯域の（マルチバンド）無線通信デバイスは、
少なくとも２つの異なる周波数帯域において通信する少なくとも２つの無線機と、
前記少なくとも２つの無線機に動作可能に連結され、前記少なくとも２つの無線機の並列および同時処理を管理する共通のステーション管理エンティティ（ＳＭＥ）と
を含み、
前記ＳＭＥは、第１の周波数帯域またはチャネルから第２の周波数帯域またはチャネルへの、高速セッション転送（ＦＳＴ）セッションのセットアップ、ティアダウン、および転送を連係させ、不透明なＦＳＴを利用する場合、前記第１の周波数帯域またはチャネルおよび前記第２の周波数帯域またはチャネルの両方の発信元および発信先媒体アクセス制御（ＭＡＣ）アドレスの組み合わせを利用して、前記マルチバンド無線通信デバイス内のＭＡＣサブレイヤ管理実体（ＭＬＭＥ）プリミティブのルーティングを設定し、
前記少なくとも２つの無線機は、それぞれがＭＡＣサブレイヤを有し、
それぞれのＭＡＣサブレイヤは、別個のＭＡＣサービスアクセスポイント（ＳＡＰ）を有し、
それぞれのＭＡＣサービスアクセスポイントは、透明なＦＳＴを利用しない場合、別個な独立したロバストセキュリティネットワークアソシエーション（ＲＳＮＡ）鍵管理実体により制御されるシステム。
【請求項１９】
前記ＳＭＥは、前記少なくとも２つの無線機の１以上のセキュリティ管理鍵の実体を含む請求項１８に記載のシステム。
【請求項２０】
前記１以上のセキュリティ管理鍵の実体は、前記少なくとも２つの無線機の少なくとも２つのセキュリティ管理鍵の実体を含む請求項１９に記載のシステム。
【請求項２１】
前記１以上のセキュリティ管理鍵の実体は、透明なＦＳＴを利用する場合、前記少なくとも２つの無線機のうちの２以上の間で共有される少なくとも１つの共通のセキュリティ管理鍵の実体を含む請求項１９に記載のシステム。
【請求項２２】
前記ＳＭＥは、前記ルーティングを設定するためにＦＳＴセッションのトラフィック識別子（ＴＩＤ）を利用する請求項１８から２１のいずれか１項に記載のシステム。
【請求項２３】
前記ＳＭＥは、前記少なくとも２つの無線機のそれぞれについての、アソシエーション、デアソシエーション、およびトラフィックストリーム構築を少なくとも管理する請求項１８から２２のいずれか１項に記載のシステム。
【請求項２４】
前記少なくとも２つの無線機は、それぞれのＭＡＣアドレスで特定される第１および第２のＭＡＣ  ＳＡＰを少なくとも含む請求項１８から２３のいずれか１項に記載のシステム。
【請求項２５】
前記少なくとも第１および第２のＭＡＣＳＡＰを特定するそれぞれのＭＡＣアドレスは、同一のＭＡＣアドレスからなる対を少なくとも一対含む請求項２４に記載のシステム。
【請求項２６】
前記少なくとも２つの無線機は、２．４ギガヘルツ（ＧＨｚ）周波数帯域で動作する第１の無線機、５ＧＨｚ周波数帯域で動作する第２の無線機、および６０ＧＨｚ周波数帯域で動作する第３の無線機を含む請求項１８から２５のいずれか１項に記載のシステム。
【発明の詳細な説明】
【背景技術】
【０００１】
本願は、２０１１年２月２日提出の「複数の周波数帯域デバイスのための方法、装置、およびシステム：Method, Apparatus and System of multiple Frequency Bands Device」なる名称の米国仮特許出願第６１／４３８，８１５号明細書の恩恵および優先権を主張しており、この開示全体をここに参照として組み込む。
【０００２】
今日では幾多もの無線デバイスがマルチバンドを標榜している。この用語は通常、複数の周波数帯域（２．４ＧＨｚ、５ＧＨｚ、セルラー帯域等）における処理をサポートするデバイスのことを示すために利用されている。
【０００３】
これらデバイスは、周波数帯域の観点からはマルチバンドであるが、無線実装およびシステムインテグレーションの観点からは、サポートされている周波数帯域にわたる処理は完全に独立している。
【０００４】
記載を簡潔且つ明瞭に行うために、図面に示す部材は、必ずしも実際の縮尺に即して描かれない場合がある。例えば一部の部材の大きさは他の部材よりも強調して描くことで、記載を明瞭にしている場合がある。さらに、図面を超えて参照番号が繰り返されている場合には、互いに対応する、または類似した部材同士を表す。図面を以下で簡単に説明する。
【図面の簡単な説明】
【０００５】
【図１】一部の実施形態におけるシステムの概略図である。
【図２】一部の実施形態における、複数の無線機に連結されたステーション管理エンティティ（ＳＭＥ）を含むデバイスの概略図である。
【図３】一部の実施形態における、複数の無線通信周波数帯域における通信方法のフローチャートである。
【図４】一部の実施形態における製品の概略図である。
【発明を実施するための形態】
【０００６】
以下の詳細な記載においては、数多くの詳細を述べて、本発明の完全な理解を促す。しかし、当業者であれば理解するように、本発明は、これら特定の詳細がなくても実施することができる。また、公知の方法、手順、部材、および回路については詳述を避けることで、本発明を不当に曖昧にしないようにしている箇所もある。
【０００７】
特にそうではないと明記されていない限り、「処理（processing）」「コンピューティング（computing）」「計算（calculating）」「判断／決定（determining）」、「構築（establishing）」「分析（analyzing）」「チェック（checking）」といった用語を利用する説明は明細書の随所に見られるが、これらは、特にそうではないと明記していない限りにおいて、コンピュータ、コンピューティングプラットフォーム、コンピューティングシステム、またはその他の電子コンピューティングデバイスの行う、コンピューティングシステムのレジスタおよび／またはメモリ内の物理量（例えば電子）で表されるデータを、コンピュータのレジスタ、メモリ、もしくはその他の同様の情報格納、送信、または表示デバイス内の物理量で同様に表される他のデータへと操作および／または変換する処理および／または処理に係るものであってよい。
【０００８】
複数という用語は、「多数」「２以上」を含む。例えば「複数のアイテム」といった場合、２以上のアイテムが含まれることになる。
【０００９】
一部の実施形態は、様々なデバイスおよびシステム（例えば、パーソナルコンピュータ（ＰＣ）、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、ハイブリッドデバイス、車両デバイス、非車両デバイス、モバイルまたはポータブルデバイス、消費者用デバイス、非モバイルまたは非ポータブルデバイス、無線通信局、無線通信デバイス、無線アクセスポイント（ＡＰ）、有線または無線ルータ、有線または無線モデム、ビデオデバイス、オーディオデバイス、オーディオ−ビデオ（Ａ／Ｖ）デバイス、有線または無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）、既存のワイヤレスギガビットアライアンス（ＷＧＡ）仕様（Wireless Gigabit Alliance, Inc.,  ＷｉＧｉｇ  ＭＡＣおよびＰＨＹ仕様バージョン１．１、２０１１年４月、最終仕様）、および／または、将来のバージョンおよび／または派生バージョン）に従って処理するデバイスおよび／またはネットワーク、既存のＩＥＥＥ８０２．１１規格（ＩＥＥＥ８０２．１１−２００７、情報技術用のＩＥＥＥ規格−システム間の電話通信および情報交換−ローカルおよびメトロポリタンエリアネットワークー特定要件、パート１１：無線ＬＡＮ媒体アクセス制御（ＭＡＣ）および物理層（ＰＨＹ）仕様、ＩＥＥＥ８０２．１１ｎ−２００９、情報技術用のＩＥＥＥ規格−システム間の電話意通信および情報交換−ローカルおよびメトロポリタンエリアネットワークー特定要件、パート１１：無線ＬＡＮ媒体アクセス制御（ＭＡＣ）および物理層（ＰＨＹ）仕様、修正版第５版：より高いスループットを目指した向上、ＩＥＥＥ８０２．１１タスクグループａｃ（ＴＧａｃ）（「ＩＥＥＥ８０２．１１−０９／０３０８ｒ１２−ＴＧａｃチャネルモデル付録書類」））、ＩＥＥＥ８０２．１１タスクグループａｄ（ＴＧａｄ）（ＩＥＥＥＰ８０２．１１ａｄ／Ｄ１．０、情報技術のための草案段階の規格−システム間の電話通信および情報交換−ローカルおよびメトロポリタンエリアネットワークー特定要件、パート１１：無線ＬＡＮ媒体アクセス制御（ＭＡＣ）および物理層（ＰＨＹ）仕様、修正版第５版：６０ＧＨｚにおける非常に高いスループットを目指した向上）、および／または、その将来のバージョンおよび／または派生バージョンに従って処理するデバイスおよび／またはネットワーク、既存のＩＥＥＥ８０２．１６規格（ＩＥＥＥ−規格８０２．１６、２００９年版、固定ブロードバンド無線アクセスシステム用のエアインタフェース、ＩＥＥＥ−規格８０２．１６ｅ、２００５年版、ライセンスされた帯域で組み合わせられた固定およびモバイル処理のための物理および媒体アクセス制御層、タスクグループｍが開発したＩＥＥＥ規格８０２．１６−２００９への修正版）および／または、その将来のバージョンおよび派生バージョンに従って動作するデバイスおよび／またはネットワーク、既存のワイヤレス−ＷｉｒｅｌｅｓｓＨＤ（登録商標）および／または将来のバージョンおよび／または派生バージョンに従って動作するデバイスおよび／またはネットワーク、上述したネットワークの一部となるユニットおよび／またはデバイス、一方向および／または双方向無線通信システム、セルラー式ラジオ電話通信システム、セルラー式電話機、無線電話機、パーソナル通信システム（ＰＣＳ）デバイス、無線通信デバイスを含むＰＤＡデバイス、モバイルまたはポータブルグローバルポジショニングシステム（ＧＰＳ）デバイス、ＧＰＳレシーバまたはトランシーバまたはチップを含むデバイス、ＲＦＩＤ素子またはチップを含むデバイス、多入力多出力（ＭＩＭＯ）トランシーバまたはデバイス、単一入力多出力（ＳＩＭＯ）トランシーバまたはデバイス、多入力単一出力（ＭＩＳＯ）トランシーバまたはデバイス、１以上の内部アンテナおよび／または外部アンテナを有するデバイス、デジタルビデオブロードキャスト（ＤＶＢ）デバイスまたはシステム、多重標準の無線デバイスまたはシステム、有線または無線ハンドヘルドデバイス（例えばＢｌａｃｋＢｅｒｒｙ，Ｐａｌｍ  Ｔｒｅｏ等）、ワイヤレスアプリケーションプロトコル（ＷＡＰ）デバイス等との関連で利用されてよい。
【００１０】
一部の実施形態は、１以上の種類の無線通信信号および／またはシステム（例えば無線周波数（ＲＦ）、赤外線（ＩＲ）、周波数分割多重（ＦＤＭ）、直交ＦＤＭ（ＯＦＤＭ）、時分割多重（ＴＤＭ）、時分割多重接続（ＴＤＭＡ）、拡張ＴＤＭＡ（Ｅ−ＴＤＭＡ）、汎用パケット無線サービス（ＧＰＲＳ）、拡張ＧＰＲＳ、符号分割多重接続（ＣＤＭＡ）、ワイドバンドＣＤＭＡ（ＷＣＤＭＡ）、ＣＤＭＡ２０００、シングルキャリアＣＤＭＡ、マルチキャリアＣＤＭＡ、マルチキャリア変調（ＭＤＭ）、離散マルチトーン（ＤＭＴ）、Ｂｌｕｅｔｏｏｔｈ（登録商標）、グローバルポジショニングシステム（ＧＰＳ）、Ｗｉ−Ｆｉ、Ｗｉ−Ｍａｘ、ＺｉｇＢｅｅ（登録商標）、Ｕｌｔｒａ−Ｗｉｄｅｂａｎｄ（ＵＷＢ）、モバイル通信用のグローバルシステム（ＧＳＭ（登録商標））、２Ｇ、２．５Ｇ，３Ｇ、３．５Ｇ、ＥＤＧＥ（Enhanced Data rates for GSM（登録商標） Evolution：ＧＳＭ（登録商標）：進化に関する向上データレート）等とともに利用することができる。他の実施形態は、様々な他のデバイス、システム、および／または、ネットワークで利用することができる。
【００１１】
ここで利用する「無線デバイス」という用語は、例えば、無線通信のできるデバイス、無線通信のできる通信デバイス、無線通信のできる通信局、無線通信のできるポータブルまたは非ポータブルデバイス等であってよい。一部の実施形態では、無線デバイスとは、コンピュータに統合された周辺デバイスであったり、これを含んだりするものであってよく、または、コンピュータに取り付けられた周辺デバイスであったり、これを含んだりするものであってよい。一部の実施形態では、「無線デバイス」という用語は、無線サービスをオプションとして含む概念であってよい。
【００１２】
一部の実施形態は、適切な限られた範囲または短距離の無線通信ネットワーク（例えばワイヤレスエリアネットワーク、「ピコネット」、ＷＰＡＮ、ＷＶＡＮ等）とともに利用することもできる。他の実施形態は、任意の他の適切な無線通信ネットワークとの関連で利用することができる。
【００１３】
一部の実施形態は、６０ギガヘルツ（ＧＨｚ）の周波数帯域、２．４ＧＨｚの周波数帯域、および／または、５ＧＨｚの周波数帯域で通信する無線通信ネットワークとの関連で利用されてもよい。しかし、他の実施形態では、例えば非常に高い周波数（ＥＨＦ）帯域（ミリ波（ｍｍ波）周波数帯域（例えば、３０ＧＨｚと３００ＧＨｚとの間の周波数帯域にある１周波数帯域）、ＩＥＥＥ８０２．１１仕様に則った周波数帯域、ＷＰＡＮ周波数帯域、ＷＧＡ仕様に則った周波数帯域）等の任意の他の適切な無線通信周波数帯域を利用して実装することもできる。
【００１４】
ここで利用される「アンテナ」という用語は、１以上のアンテナエレメント、コンポーネント、ユニット、アセンブリ、および／または、アレイの任意の適切な構成、構造、および／または、配置を含んでよい。一部の実施形態では、アンテナは、それぞれ別の送受信アンテナエレメントを利用して送受信機能を実装することができる。一部の実施形態では、アンテナは、共通および／または統合された送受信エレメントを利用して機能の送受信を実装してもよい。アンテナは、擬似全方向性（quasi-omni）アンテナパターンがカバーするアンテナを含んでよい。例えば、アンテナは、フェーズドアレイアンテナ、シングルエレメントアンテナ、スイッチビームアンテナのセット等のうちの少なくとも１つを含んでよい。
【００１５】
ここで利用される、「擬似全方向性（quasi-omni）アンテナパターン」という用語は、特定のアンテナについて取得可能な現実的に最も広いビーム幅を有する処理モードを含む概念であってよい。
【００１６】
ここで利用される「局」（ＳＴＡ）という用語は、媒体アクセス制御（ＭＡＣ）および物理層（ＰＨＹ）インタフェースの無線媒体（ＷＭ）に対する単一でアドレス可能なインスタンスである任意の論理実体を含んでよい。
【００１７】
ここで利用される「アクセスポイント」（ＡＰ）という用語は、１つの局（ＳＴＡ）を含み、関連するＳＴＡについてＷＭを介して配信サービスにアクセスを提供する実体を含んでよい。
【００１８】
ここで利用される「アソシエーション／関連付け（association）」という用語は、アクセスポイント／局（ＡＰ／ＳＴＡ）マッピングを構築して、配信システムサービス（ＤＳＳ）のＳＴＡ呼び出しをイネーブルするために利用されるサービスに関したものであってよい。
【００１９】
ここで利用される「認証」という用語は、別のＳＴＡと関連付けることを承認されたＳＴＡセットのメンバーとして、１つの局（ＳＴＡ）のＩＤを構築するために利用されるサービスに関するものであってよい。
【００２０】
ここで利用される「ビームフォーミング」という用語は、トランスミッタ側で受信信号電力を向上させたり、意図するレシーバ側で信号対雑音比（ＳＮＲ）を向上させたりするために利用することができる空間フィルタリングメカニズムに関するものであってよい。
【００２１】
ここで利用される「非アクセスポイント（非ＡＰ）局（ＳＴＡ）」という用語は、ＡＰに含まれないＳＴＡに関するものであってよい。
【００２２】
ここで利用される「サービス期間」（ＳＰ）という用語は、１以上のダウンリンクで個々にアドレス指定されるフレームがあるサービス品質（ＱｏＳ）の局（ＳＴＡ）に送信されたり、および／または、１以上の送信機会（ＴＸＯＰ）が同じＳＴＡに許可されたりするような、ある近接した期間に関するものであってよい。
【００２３】
ここで利用される「指向性帯域」（ＤＢａｎｄ）という用語は、チャネル開始周波数が４５ＧＨｚを越える周波数帯域に関するものであってよい。
【００２４】
ここで利用される「ＤＢａｎｄ  ＳＴＡ」という用語は、無線トランスミッタがＤＢａｎｄ内にあるチャネル上で動作しているようなＳＴＡに関するものであってよい。
【００２５】
ここで利用される「全方向性帯域」（ＯＢａｎｄ）という用語は、チャネル開始周波数が６ＧＨｚを下回る周波数帯域に関するものであってよい。例えば、ＯＢａｎｄには、２．４ＧＨｚ帯域、５ＧＨｚ帯域等が含まれてよい。
【００２６】
ここで利用される「ＯＢａｎｄ  ＳＴＡ」という用語は、無線トランスミッタがＯＢａｎｄ内にあるチャネル上で動作しているようなＳＴＡに関するものであってよい。
【００２７】
ここで利用される「個人基本サービスセット」（ＰＢＳＳ）という用語は、内蔵型のネットワークを形成する基本サービスセット（ＢＳＳ）に関するものであってよい。例えばＰＢＳＳは、ＤＢａｎｄで動作してよく、１つのＰＢＳＳ制御ポイント（ＰＣＰ）を含んでよい。
【００２８】
ここで利用される「ＰＢＳＳ制御ポイント」（ＰＣＰ）という用語は、１つの局（ＳＴＡ）を含み、ＰＢＳＳのメンバーである様々なＳＴＡによるＷＭへのアクセスを調整する実体を含んでよい。
【００２９】
ここで利用される「非ＰＣＰ局（ＳＴＡ）」という用語は、ＰＣＰではないＳＴＡに関するものであってよい。
【００３０】
ここで利用される「非ＰＣＰ／非ＡＰ局（ＳＴＡ）」という用語は、ＰＣＰでもＡＰでもないＳＴＡに関するものであってよい。
【００３１】
ここで利用される「ＰＣＰ／ＡＰ」および「無線ネットワークコントローラ」という用語は、ＰＣＰまたはＡＰであるＳＴＡに関するものであってよい。
【００３２】
ここで利用される「トラフィック」および／または「トラフィックストリーム」という用語は、ＳＴＡ等の無線デバイス間のデータフローおよび／またはストリームに関するものであってよい。
【００３３】
図１を参照すると、一部の実施形態におけるシステム１００のブロック図が概略されている。
【００３４】
図１に示すように、一部の実施形態では、システム１００は、１以上の適切な無線通信リンク（例えば、無線チャネル、ＩＲチャネル、ＲＦチャネル、無線フィデリティ（ＷｉＦｉ）チャネル、ＯＢａｎｄチャネル、ＤＢａｎｄチャネル等）を介して、コンテンツ、データ、情報、および／または、信号を通信可能な、１以上の無線通信デバイス（例えば無線通信デバイス１０２および／または１３０）を含む無線通信ネットワークを含んでよい。システム１００の１以上のエレメントは、オプションとして、任意の適切な有線通信リンクを介して通信可能であってもよい。例えば、システム１００は、ＩＥＥＥ８０２．１１タスクグループａｄ（ＴＧａｄ）が開発した規格に則って、ＷＧＡ仕様に則って、ＩＥＥＥ８０２．１５．３ｃ仕様に則って、ＷｉｒｅｌｅｓｓＨＤ（登録商標）仕様に則って、ＥＣＭＡ−３８７規格に則って、および／または、別の適切な無線規格に則って動作することができる。
【００３５】
一部の実施形態では、無線通信デバイス１０２および／または１３０は、例えばＰＣ、デスクトップコンピュータ、モバイルコンピュータ、ラップトップコンピュータ、ノートブックコンピュータ、タブレットコンピュータ、サーバコンピュータ、ハンドヘルドコンピュータ、ハンドヘルドデバイス、携帯情報端末（ＰＤＡ）デバイス、ハンドヘルドＰＤＡデバイス、オンボードデバイス、オフボードデバイス、ハイブリッドデバイス（例えばＰＤＡデバイス機能のついた統合セルラーフォン機能）、消費者用デバイス、車両デバイス、非車両デバイス、モバイルまたはポータブルデバイス、非モバイルまたは非ポータブルデバイス、セルラー式電話機、ＰＣＳデバイス、無線通信デバイスを含むＰＤＡデバイス、モバイルまたはポータブルＧＰＳデバイス、ＤＶＢデバイス、比較的小型のコンピューティングデバイス、非デスクトップコンピュータ、「キャリー・スモール・リブ・ラージ」（ＣＳＬＬ）デバイス、ウルトラモバイルデバイス（ＵＭＤ）、ウルトラ・モバイルＰＣ（ＵＭＰＣ）、モバイルインターネットデバイス（ＭＩＤ）、「Ｏｒｉｇａｍｉ」デバイスまたはコンピューティングデバイス、動的構成可能（ＤＣＣ：Dynamically Composable Computing）機能をサポートしているデバイス、コンテキスト認識デバイス、ビデオデバイス、オーディオデバイス、Ａ／Ｖデバイス、セットトップボックス（ＳＴＢ）、ブルーレイディスク（ＢＤ）プレーヤ、ＢＤレコーダ、ＤＶＤレコーダ、高精細（ＨＤ）ＤＶＤレコーダ、パーソナルビデオレコーダ（ＰＶＲ）、ブロードキャストＨＤレシーバ、ビデオソース、オーディオソース、ビデオシンク、オーディオシンク、ステレオチューナ、ブロードキャストラジオレシーバ、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオ増幅器、ゲームデバイス、データソース、データシンク、デジタルスチルカメラ（ＤＳＣ）、メディアプレーヤ、スマートフォン、テレビ受像機、音楽プレーヤ等を含んでよい。
【００３６】
一部の実施形態では、無線通信デバイス１０２および／または１３０は、それぞれ無線通信ユニット１０４および／または１３２を含み、後述するように、それぞれ無線通信デバイス１０２および／または１３０と、および／または、１以上の他の無線通信デバイスと無線通信することができる。
【００３７】
一部の実施形態では、デバイス１０２および／または１３０は、後で詳述するように、複数の無線通信周波数帯域で通信可能な複数の周波数帯域の（マルチバンドの）デバイスの機能を含んだり、および／または、実行したりすることができる。
【００３８】
無線通信デバイス１０２および／または１３０は、例えば、プロセッサ１１４、入力ユニット１０６、出力ユニット１０８、メモリユニット１１０、および格納ユニット１１２のうち、１以上を含んでもよい。無線通信デバイス１０２および／または１３０は、任意で、他の適切なハードウェアコンポーネントおよび／またはソフトウェアコンポーネントを含んでもよい。一部の実施形態では、無線通信デバイス１０２および／または１３０のうち１以上に含まれるコンポーネントの一部または全てが、共通の筐体またはパッケージに含められていてもよいし、１以上の有線または無線リンクを利用して相互接続されていたり、動作可能に関連付けられていたりしてもよい。他の実施形態では、無線通信デバイス１０２および／または１３０のうち１以上に含まれるコンポーネントが、複数のまたは別個のデバイス間に分配されていてもよい。
【００３９】
一例として、プロセッサ１１４は、中央処理装置（ＣＰＵ）、デジタル信号プロセッサ（ＤＳＰ）、１以上のプロセッサコア、シングルコアプロセッサ、デュアルコアプロセッサ、マルチコアプロセッサ、マイクロプロセッサ、ホストプロセッサ、コントローラ、複数のプロセッサまたはコントローラ、チップ、マイクロチップ、１以上の回路、回路系（circuitry）、論理ユニット、集積回路（ＩＣ）、特定用途向けＩＣ（ＡＳＩＣ）、または任意の他の適切な多目的の、または特定目的のプロセッサまたはコントローラを含む。プロセッサ１１４は、例えば、１以上の適切なアプリケーションの無線通信デバイス１０２および／または１３０のオペレーティングシステム（ＯＳ）の命令を実行する。
【００４０】
一例として、入力ユニット１０６は、キーボード、キーパッド、マウス、タッチパッド、トラックボール、スタイラス、マイクロフォン、その他の適切なポインティングデバイスまたは入力デバイスを含む。一例として、出力ユニット１０８は、モニタ、スクリーン、フラットパネルディスプレイ、陰極線管（ＣＲＴ）ディスプレイユニット、液晶ディスプレイ（ＬＣＤ）ユニット、プラズマディスプレイユニット、１以上のオーディオスピーカまたはイヤフォン、その他の適切な出力デバイスを含む。
【００４１】
一例として、メモリユニット１１０は、ランダムアクセスメモリ（ＲＡＭ）、読み取り専用メモリ（ＲＯＭ）、ダイナミックＲＡＭ（ＤＲＡＭ）、同期ＤＲＡＭ（ＳＤ−ＲＡＭ）、フラッシュメモリ、揮発性メモリ、不揮発性メモリ、キャッシュメモリ、バッファ、短期メモリユニット、長期メモリユニット、その他の適切なメモリユニットを含む。一例として、格納ユニット１１２は、ハードディスクドライブ、フロッピー（登録商標）ディスクドライブ、コンパクトディスク（ＣＤ）ドライブ、ＣＤ−ＲＯＭドライブ、ＤＶＤドライブ、その他の適切な取り外し可能または不可能な格納ユニットを含む。一例として、メモリユニット１１０および／または格納ユニット１１２は、無線通信デバイス１０２および／または１３０が処理するデータを格納してもよい。
【００４２】
一部の実施形態では、無線通信ユニット１０４および１３２は、それぞれ１以上のアンテナ１０５および１３３を含んだり、１以上のアンテナ１０５および１３３に関連付けられたりしていてよい。アンテナ１０５および／または１３３は、無線通信信号、ブロック、フレーム、送信ストリーム、パケット、メッセージ、および／または、データを送信および／または受信するのに適した任意の種類のアンテナを含んでよい。例えばアンテナ１０５および／または１３３は、１以上のアンテナエレメント、コンポーネント、ユニット、アセンブリ、および／または、アレイの任意の適切な構成、構造、および／または、配置を含んでよい。アンテナ１０５および／または１３３は、擬似全方向性アンテナパターンがカバーするアンテナを含んでよい。例えば、アンテナ１０５および／または１３３は、フェーズドアレイアンテナ、シングルエレメントアンテナ、スイッチビームアンテナのセット等のうちの少なくとも１つを含んでよい。一部の実施形態では、アンテナ１０５および／または１３３は、別個の送受信アンテナエレメントを利用して、送受信機能を実装してもよい。また一部の実施形態では、アンテナ１０５および／または１３３は、共通の、および／または、統合された送信／受信エレメントを利用して送受信機能を実装することもできる。
【００４３】
一部の実施形態では、無線通信ユニット１０４および／または１３２は、例えば、無線通信信号、ＲＦ信号、フレーム、ブロック、送信ストリーム、パケット、メッセージ、データアイテム、および／または、データを送信および／または受信することのできる１以上の無線トランスミッタ、レシーバ、および／またはトランシーバを含む。例えば、無線送信ユニット１０４および／または１３２は、無線ネットワークインタフェースカード（ＮＩＣ）等を含んだり、その一部として実装したりすることができる。
【００４４】
一部の実施形態では、無線通信デバイス１０２および１３０は、少なくとも１つの無線通信リンクを構築してよい。リンクは、アップリンクおよび／またはダウンリンクを含んでよい。一例としてダウンリンクは、ＡＰから１以上の非ＡＰ局（ＳＴＡ）への一方向リンク、または、非ＡＰ発信先ＳＴＡから非ＡＰ発信元ＳＴＡへの一方向リンクを含んでよい。一例としてアップリンクは、非ＡＰ  ＳＴＡからＡＰへの一方向リンク、または、非ＡＰ発信元ＳＴＡから非ＡＰ発信先ＳＴＡへの一方向リンクを含んでよい。
【００４５】
一部の実施形態では、無線通信デバイス１０２および／または１３０は、後述するように、ＤＢａｎｄＳＴＡおよび／またはＯＢａｎｄＳＴＡの機能を実行することができる。
【００４６】
一部の実施形態では、デバイス１０２は、後で詳述するように、例えばデバイス１３０および／または１以上の他のデバイスと、複数の無線通信周波数帯域を介して通信することのできるマルチバンドデバイスの機能を実行することができる。
【００４７】
一部の実施形態では、デバイス１０２および／または１０４は、異なる周波数帯域および／またはチャネルを介して統合および／または途切れのない処理を可能とするよう構成されたマルチバンド処理メカニズムを利用することができる。このマルチバンドメカニズム（「高速セッション転送」（ＦＳＴ）との称される場合がある）は、例えばＷＧＡベースおよびＩＥＥＥ８０２．１１ベースの技術等の様々な異なる技術の無線機間を、データリンクレベルでリアルタイム統合することで、ユーザ体験を格段に高めることができる。
【００４８】
一部の実施形態では、デバイス１０２および／または１０４は、異なるデータリンク層技術間での情報の効果的な共有および／または交換を可能としたり、および／または、より高次の層（例えばネットワーク）プロトコル（インターネットプロトコル（ＩＰ）等）に対して完全に透明に動作するメカニズムを提供したりすることができるよう構成することもできる。
【００４９】
一部の実施形態では、無線通信ユニット１０４は、少なくとも２つの異なる周波数帯域で通信する少なくとも２つの無線機（無線機１４２および１４４を含む）を含んでよい。
【００５０】
一実施形態では、無線機１４２はＤＢａｎｄを介して通信してよく、および／または、無線機１４４はＯＢａｎｄを介して通信してよい。例えば、無線機１４２は、６０ＧＨｚ周波数帯域で通信することで、少なくとも１つのＤＢａｎｄ  ＳＴＡの機能を果たしてよく、および／または、無線機１４４が、２．４ＧＨｚまたは５ＧＨｚ周波数帯域で通信することで、少なくとも１つのＯＢａｎｄ  ＳＴＡの機能を果たしてよい。
【００５１】
一部の実施形態では、これら少なくとも２つの無線機は、図２を参照して後述するように、３つ以上の無線機を含むこともでき、例えば、第１のＯＢａｎｄを介して通信する第１のＯＢａｎｄ無線機と、第２の、異なるＯＢａｎｄを介して通信する第２のＯＢａｎｄ無線機と、ＤＢａｎｄを介して通信する第３の無線機とが少なくとも含まれていてよい。他の実施形態では、この少なくとも２つの無線機には、２以上の周波数帯域で動作する２以上の無線機の任意の他の組み合わせが含まれていてもよい。
【００５２】
一部の実施形態では、無線通信ユニット１０４は、無線機１４２および１４４に動作可能に連結されている共通のステーション管理エンティティ（ＳＭＥ）１４０を含んでよい。ＳＭＥ１４０は、例えば後述するように無線機１４２および１４４の並列および同期処理を管理してよい。
【００５３】
一部の実施形態の無線通信ユニット１０４は、無線機１４２および１４４を共通管理する単一のＳＭＥ（例えばＳＭＥ１４０）を含むことができ、これは、「マルチバンド」であると標榜してはいるが、複数のＳＭＥを利用して各周波数帯域でそれぞれ別のＳＭＥを利用するような既存の実装形態とは対照的である。
【００５４】
または、ＳＭＥ１４０の機能を、各ＭＡＣ／ＰＨＹスタックで独立動作させるために複製することもできる。しかし、全てのＭＡＣ／ＰＨＹスタックを網羅してマルチバンド処理を制御する単一のマルチバンド管理実体が存在していてもよい。
【００５５】
一部の実施形態では、ＳＭＥ１４０は、例えばデバイス１０２内で利用可能な各個々のＭＡＣ／ＰＨＹスタックについて、アソシエーション、デアソシエーション、接続管理、トラフィックストリーム構築、セキュリティ鍵管理等を管理することができる。例えば、ＳＭＥ１４０は、少なくとも２つの無線機１４２よび１４４のそれぞれについて、少なくともアソシエーション、デアソシエーション、およびトラフィックストリーム構築を管理するよう構成されていてよい。これらの処理を共通管理することで、例えばデバイス１０２がサポートする全ての帯域にわたる、途切れのない、および／または、統合された処理が可能となる。
【００５６】
本発明の範囲は、本発明のこの特定の実施形態に限定はされないが、ＳＭＥ１４０は、１を超える周波数帯域／チャネルにおいて動作を管理することができる。例えばＳＭＥ１４０は、デバイス１０２がサポートする様々な異なる周波数帯域間のトラフィックセッションのリアルタイム転送のセットアップ、設定、およびティアダウン（tear down）を管理することができる。一例では、ＳＭＥ１４０は、ある周波数帯域（無線機１４２がサポートする周波数帯域）から、別の周波数帯域（無線機１４４がサポートする周波数帯域）へのセットアップ、ティアダウン（tear down）、および／または、高速セッション転送を連係させることができる。
【００５７】
本発明の一部の実施形態では、デバイス１０２がサポートする様々な異なる周波数帯域における処理は同時に行われてもよい。他の実施形態では、デバイス１０２がサポートする様々な異なる周波数帯域における処理が同時に行われなくてもよい。
【００５８】
例えばＳＭＥ１４０は、無線機１４２および１４４について１以上のエキュリティ管理鍵の実体（Ｎ≧１の管理鍵等）を含むことができる。
【００５９】
１以上のセキュリティ管理鍵の実体のそれぞれは、ロバストセキュリティネットワークアソシエーション（ＲＳＮＡ）鍵を含んでよい。例えばＳＭＥ１４０は、無線機１４２について少なくとも１つの第１のＲＳＮＡ鍵を含み、無線機１４４について少なくとも１つの第２のＲＳＮＡ鍵を含んでよい。
【００６０】
一部の実施形態では、１以上のセキュリティ管理鍵の実体は、少なくとも２つの無線機のうち２以上の間で共有される少なくとも１つの共通のセキュリティ管理鍵の実体を含んでよい。例えば透明なＦＳＴを利用する場合、ＳＭＥ１４０は、無線機１４２および１４４の間で共有される鍵管理の実体を１つ含んでよい。
【００６１】
一部の実施形態では、無線機１４２および１４４は、図２を参照して後述するように、媒体アクセス制御（ＭＡＣ）アドレスがそれぞれ特定する少なくとも第１および第２のＭＡＣサービスアクセスポイント（ＳＡＰ）を含んでよい。例えば、無線機１４２および１４４の各ＭＡＣ  ＳＡＰは、固有のＭＡＣアドレスにより特定されてよい。
【００６２】
他の実施形態では、無線機１４２および１４４の一対のＭＡＣ  ＳＡＰは、非固有により特定されてもよい（identified by non-unique）。例えば透明なＦＳＴを利用する場合、無線機１４２および１４４の一対のＭＡＣ  ＳＡＰは、共通のＭＡＣアドレスを共有することができる。
【００６３】
図２を参照すると、一部の実施形態において、複数の無線機（例えば３つの無線機２０４、２０６、２０８を含む）に連結されたＳＭＥ２０２を含むデバイス２００が概略されている。
【００６４】
本発明の範囲はこの点に限定はされないが、無線機２０４が第１の周波数帯域で動作して、無線機２０６が第２の周波数帯域で動作して、無線機２０８が第３の周波数帯域で動作する、といったことができる。
【００６５】
例えば、第１、第２、第３の周波数帯域が複数の異なる周波数帯域を含み、無線機２０４が第１のＯＢａｎｄ周波数で動作して、無線機２０６が第２のＯＢａｎｄ周波数で動作して、および／または、無線機２０８がＤＢａｎｄ周波数で動作する、といったことができる。例えば無線機２０４は、２．４ＧＨｚ周波数帯域で、無線機２０６が５ＧＨｚ周波数帯域で、および／または、無線機２０８が６０ＧＨｚ周波数帯域で動作する、といったことができる。
【００６６】
一部の実施形態では、ＳＭＥ２０２は、無線機２０４、２０６、および２０８それぞれについて、アソシエーション、デアソシエーション、接続管理、トラフィックストリーム構築、セキュリティ鍵管理等の管理を行うことができる。これらの処理の共通管理を行うことで、第１、第２、および第３周波数帯域間で、途切れのない、および／または統合された処理を行うことができるようになる。
【００６７】
例えばＳＭＥ２０２は、第１、第２、および第３周波数帯域間のトラフィックセッションのリアルタイム転送のセットアップ、設定、およびティアダウン（tear down）を管理することができる。
【００６８】
一部の実施形態では、ＳＭＥ２０２は、無線機２０４、２０６、および２０８のうち、少なくとも２つの無線機の並列および同期処理を管理するよう構成されるマルチバンド管理モジュール（「マルチバンド管理実体」と称される場合もある）２６０を含んでよい。例えばモジュール２６０は、無線機２０４、２０６、および２０８がサポートする第１の帯域／チャネルから第２の帯域／チャネルへの、ＦＳＴセッションのセットアップ、設定、ティアダウン、および／または転送を調整するよう構成されていてよい。
【００６９】
一部の実施形態では、デバイス２００は、複数のＭＡＣ実体を含んでよい。一部の実施形態（図２参照）では、無線機２０４、２０６、および２０８はそれぞれ、単一のＭＡＣ実体を含んでよい。他の実施形態では、無線機２０４、２０６、および２０８の１以上が、１を超える数のＭＡＣ実体を含むこともできる。
【００７０】
一部の実施形態では（図２参照）、無線機２０４は、物理（ＰＨＹ）層（例えば物理層収束プロトコル（ＰＬＣＰ）サブレイヤ２３０および物理媒体依存（ＰＭＤ）サブレイヤ２４０を含む）と関連付けられたＭＡＣサブレイヤ２２０を含んでよい。また例えば、無線機２０６は、ＰＨＹ層（例えばＰＬＣＰサブレイヤ２３２およびＰＭＤサブレイヤ２４２を含む）と関連付けられたＭＡＣサブレイヤ２２２を含んでよい。また例えば、無線機２０８は、ＰＨＹ層（例えばＰＬＣＰサブレイヤ２３４およびＰＭＤサブレイヤ２４４を含む）と関連付けられたＭＡＣサブレイヤ２２４を含んでよい。無線機２０４、２０６、および／または、２０８は、さらに、ＭＡＣサブレイヤ管理実体（ＭＬＭＥ）および／またはＰＨＹサブレイヤ管理実体（ＰＬＭＥ）を含むことができる。
【００７１】
一部の実施形態では（図２参照）、無線機２０４、２０６、および２０８のＭＡＣ実体は、それぞれが、別個のＰＬＣＰサブレイヤおよび／または別個のＰＭＤサブレイヤを含むことができる。
【００７２】
他の実施形態では、ＭＡＣ実体の１以上が、共通のＰＬＣＰサブレイヤおよび／または共通のＰＭＤサブレイヤを共有してもよい。例えば、図２は各ＰＨＹとＭＡＣ層とを１対１でマッピングする例であるが、一部の実施形態では、複数のＭＡＣアドレスをサポートして、例えば各ＭＡＣ層に固有ＭＡＣアドレスを与えて、同じＰＨＹ層を複数のＭＡＣ層間で共有させることもできる。
【００７３】
本発明の一部の実施形態では、ＭＡＣサブレイヤ２２０を第１のＭＡＣアドレスで特定して、ＭＡＣサブレイヤ２２２を第２のＭＡＣアドレスで特定して、ＭＡＣサブレイヤ２２４を第３のＭＡＣアドレスで特定することができる。
【００７４】
一部の実施形態では、ＳＭＥ２０２は、複数のＭＡＣサブレイヤ（例えばＭＡＣサブレイヤ２２０、２２２、および２２４）を有する複数のＭＡＣ実体の管理を連係させることができる。例えば、ＭＡＣサブレイヤ２２０、２２２、および２２４の各々が、別個のＭＡＣサービスアクセスポイント（ＳＡＰ）およびＭＬＭＥ−ＰＬＭＥ  ＳＡＰを有してよい。
【００７５】
本発明の一部の実施形態では、デバイス２００の各ＭＡＣ実体が、別個の（例えば固有の）ＭＡＣアドレスで特定されてもよい。例えば、無線機２０４、２０６、および２０８の各ＭＡＣ実体が、（例えばデバイス２００内の他のＭＡＣ実体との関係において）固有のＭＡＣアドレスを有してよい。
【００７６】
本発明の他の実施形態では、少なくとも１つのＭＡＣ実体を、デバイス２００内で固有ではないＭＡＣアドレスで特定することもできる。例えば透明なＦＳＴを利用する場合、無線機２０４、２０６、および２０８の少なくとも一対のＭＡＣ  ＳＡＰが、共通のＭＡＣアドレスを共有することができる。
【００７７】
一部の実施形態では、ＳＭＥ２０２は、１以上のセキュリティ鍵を利用して無線機２０４、２０６、および２０８を管理することができる。例えば、ＳＭＥ２０２は、１以上のＲＳＮＡ鍵管理実体を利用して、無線機２０４、２０６、および２０８のＭＡＣ  ＳＡＰを制御することができる。
【００７８】
一部の実施形態では、ＳＭＥ２０２は、無線機２０４、２０６、および２０８の各ＭＡＣ  ＳＡＰを制御するために、別個の独立した鍵管理実体を含んでよい。例えば図２に示すように、ＳＭＥ２０２は、それぞれ複数の別個の、および／または、独立したＲＳＮＡ鍵管理実体２５０、２５２、および２５４を利用して、無線機２０４、２０６、および２０８を管理することができる。
【００７９】
一部の実施形態では、ＳＭＥ２０２は、無線機２０４、２０６、および２０８の２以上のＭＡＣ  ＳＡＰの間で共有される少なくとも１つの共通のセキュリティ管理鍵の実体を含んでよい。例えば透明なＦＳＴを利用する場合には、ＳＭＥ２０２は、無線機２０４、２０６、および２０８の２以上のＭＡＣ  ＳＡＰの間で、ＲＳＮＡ鍵管理実体２５０、２５２、および２５４の少なくとも１つを共有することができる。
【００８０】
一部の実施形態では、ＳＭＥ２０２は、デバイス２００がサポートするＭＡＣアドレスの任意のもの（例えば、無線機２０４、２０６、および２０８のＭＡＣ実体がサポートするＭＡＣアドレス）により特定されてよい。このようにして、ＳＭＥ２０２は、無線機２０４、２０６、および２０８のいずれかのＭＬＭＥが受信するＭＬＭＥフレームによって通知を受信することができる。
【００８１】
一部の実施形態では、マルチバンド管理モジュール２６０は、デバイス２００がサポートする第１の帯域／チャネルから、無線デバイス２００がサポートする第２の帯域／チャネルへと、ＦＳＴセッションのセットアップ、設定、ティアダウン、および転送を連係させることができる。
【００８２】
例えば不透明なＦＳＴを利用する場合、マルチバンド管理実体２６０は、第１および第２の帯域／チャネル両方の発信元および発信先ＭＡＣアドレスの組み合わせを利用して、デバイス２００内の（例えば、無線機２０４、２０６、および／または２０８の間の）ＭＳＤＵおよび／またはＭＬＭＥプリミティブのルーティングを設定することができる。
【００８３】
別の例として透明なＦＳＴを利用する場合には、マルチバンド管理実体２６０は、ＦＳＴセッションのトラフィック識別子（ＴＩＤ）を利用して（発信元および発信先ＭＡＣアドレスの組み合わせに加えて）、デバイス２００内のＭＳＤＵおよび／またはＭＬＭＥプリミティブのルーティングを設定することができる。
【００８４】
図３は、一部の実施形態における、複数の無線通信周波数帯域を利用する通信方法を概略している。本発明の範囲はこの点に限定はされないが、図３の方法の１以上の処理は、任意の適切な無線通信システム（例えばシステム１００（図１）、無線通信デバイス（例えばデバイス１０２、１３０（図１）および／または２００（図２））、および／または、無線通信ユニット（例えば無線通信ユニット１０４および／または１３２（図１））により実行されてよい。
【００８５】
方法は、ブロック３００で、少なくとも２つの異なる周波数帯域にわたり、同時に行われるマルチバンドデバイスの処理を管理することを含む。
【００８６】
一部の実施形態では、ブロック３０１に示すように、管理には、全てのＭＡＣ／ＰＨＹスタックについて、単一のＳＭＥまたは単一のマルチバンド管理実体を利用して、少なくとも２つの無線機を管理することが含まれてよい。
【００８７】
例えば、ＳＭＥ２０２（図２）は、上述したように、２．４ＧＨｚ、５ＧＨｚ、および／または、６０ＧＨｚの周波数帯域におけるデバイス２００の同時処理を管理することができる。
【００８８】
方法は、ブロック３０２で、マルチバンドステーションのある周波数帯域から別の周波数帯域への、セットアップ、ティアダウン、および高速セッション転送セッションを連係させることを含んでよい。例えば、ＳＭＥ２０２（図２）は、既に上述したように、周波数帯域が２．４ＧＨｚ、５ＧＨｚ、および、６０ＧＨｚである第１の周波数帯域から、周波数帯域が２．４ＧＨｚ、５ＧＨｚ、および／または、６０ＧＨｚである第２の周波数帯域への、セットアップ、ティアダウン、および高速セッション転送セッションを連係させることを含んでよい。
【００８９】
方法は、ブロック３０４で、少なくとも２つの周波数帯域において、少なくともアソシエーション、デアソシエーション、およびトラフィックストリーム構築を共通管理することを含んでよい。例えばモジュール２６０（図２）は、上述したように、２．４ＧＨｚ、５ＧＨｚ、および／または、６０ＧＨｚの周波数帯域において、少なくともアソシエーション、デアソシエーション、およびトラフィックストリーム構築を管理することができる。
【００９０】
方法は、ブロック３０６で、少なくとも２つの周波数帯域に対応する１以上のセキュリティ管理鍵の実体を共通管理することを含んでよい。
【００９１】
一部の実施形態では、１以上のセキュリティ管理鍵の実体のそれぞれが、ＲＳＮＡ鍵を含む。例えばＳＭＥ２０２（図２）は、上述したような、ＲＳＮＡ鍵管理実体２５０、２５２、および２５４（図２）を含んでよい。
【００９２】
一部の実施形態では、この１以上のセキュリティ管理鍵の実体が、少なくとも２つの周波数帯域のうちの２以上に対応する、少なくとも１つの共通のセキュリティ管理鍵の実体を含む。
【００９３】
図４を参照すると、一部の実施形態における製品４００が概略されている。製品４００は、無線通信ユニット１０４（図１）、無線通信デバイス１０２（図１）、無線通信ユニット１３２（図１）、無線通信デバイス１３０（図１）、デバイス２００（図２）、ＳＭＥ１４０（図１）、ＳＭＥ２０２（図２）の機能の少なくとも一部を実行したり、および／または、図３の方法の１以上の処理を実行したりするために利用されうる論理４０４を格納する機械可読格納媒体４０２を含んでよい。
【００９４】
本発明の実施形態はこの例に限定はされないが、製品４００および／または機械可読格納媒体４０２は、データ格納可能な１以上の種類のコンピュータ可読格納媒体を含んでよい（例えば、揮発性メモリ、不揮発性メモリ、取り外し可能または不可能なメモリ、消去可能または不可能なメモリ、書き込み可能または書き換え可能メモリ等を含む）。例えば、機械可読格納媒体４０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラム可能ＲＯＭ（ＰＲＯＭ）、ＥＰＲＯＭ、ＥＥＰＲＯＭ、ＣＤ−ＲＯＭ、ＣＤ−Ｒ、ＣＤ−ＲＷ、フラッシュメモリ（たとえばＮＯＲまたはＮＡＮＤフラッシュメモリ）、コンテンツアドレス可能メモリ（ＣＡＭ）、ポリマーメモリ、相変化メモリ、強誘電体メモリ、シリコン酸化物窒化物酸化物シリコン（ＳＯＮＯＳ）メモリ、ディスク、フロッピー（登録商標）ディスク、ハードドライブ、光ディスク、磁気ディスク、カード、磁気カード、光カード、テープ、カセット等を含むことができる。コンピュータ可読格納媒体は、遠隔のコンピュータから要求を発するコンピュータへの、搬送波その他の伝播媒体が通信リンク（例えばモデム、無線またはネットワーク接続）を介して具現化するデータ信号が搬送するコンピュータプログラムのダウンロードまたは転送に関与する任意の適切な媒体を含んでよい。
【００９５】
一部の実施形態では、論理４０４は、機械により実行されると、機械に、ここに記載する方法、プロセス、および／または、処理を実行させる命令、データ、および／または、コードを含んでよい。機械は、例えば、任意の適切な処理プラットフォーム、コンピューティングプラットフォーム、コンピューティングデバイス、処理デバイス、コンピューティングシステム、処理システム、コンピュータ、プロセッサ等を含んでよく、ハードウェア、ソフトウェア、ファームウェア等の任意の適切な組み合わせを利用して実装することができてよい。
【００９６】
一部の実施形態では、論理４０４は、ソフトウェア、ソフトウェアモジュール、アプリケーション、プログラム、サブルーチン、命令、命令セット、コンピューティングコード、ワード、値、シンボル等を含んだり、あるいはこれらで実装したりすることができてよい。命令には、任意の適切な種類のコード（例えばソースコード、コンパイラ型のコード、インタプリタ型のコード、実行可能なコード、静的コード、動的コード等）が含まれてよい。命令は、プロセッサに一定の機能の実行を命令するために、予め定義されているコンピュータ言語、方法またはシンタックスに則って実装されてよい。このような命令は、適切な高レベル、低レベル、オブジェクト指向、ビジュアル、コンパイラ型および／またはインタプリタ型のプログラミング言語を用いた実装が可能である。このようなプログラミング言語の例として、Ｃ、Ｃ++、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、マシンコードなどが挙げられる。
【００９７】
１以上の実施形態に関してここに記載する機能、処理、コンポーネント、および／または、特徴は、１以上の他の実施形態に関してここに記載する１以上の他の機能、処理、コンポーネント、および／または、特徴と組み合わせて利用することができてよく、この逆もまた然りである。
【００９８】
本発明の一定の特徴を例示、記載してきたが、当業者であれば数多くの変形例、代替例、変更例、および均等物を想到するであろう。従って、添付請求項は、これら全ての変形例および変更例を本発明の真の精神に含めることを意図している。
【図１】
0005551192.tif 000002
【図２】
0005551192.tif 000003
【図３】
0005551192.tif 000004
【図４】
0005551192.tif 000005